(57)【要約】【課題】  内装材の取付構造及びその取付方法に関し、構造が簡単であるため作業が迅速に行えて施工性及び耐久性に優れた内装材の取付構造及びその取付方法を提供することを課題とする。【解決手段】  スタッドの注入口の裏側に、アジャスター１２のレベル調整部３２を係合保持させる一方、このアジャスターの固定部３４を壁基礎面に止着してスタッドを壁基礎面に仮固定し、スタッドの前方からアジャスターの操作盤４８又は貫通孔５０を利用してレベル調整部３２を回転操作して、壁基礎面とスタッドとの間隔を調整し、スタッドの注入口２６から弾性接着剤９を注入して貫通孔５０を通過させ、支持台の空間部４０に注入保持させて壁基礎面との間に充填し、弾性接着剤９の硬化を待たずにスタッド８の表面側に内装材を敷設する構成である。【選択図】  図１
2010150825.tif 000002
【特許請求の範囲】
【請求項１】
壁基礎面に近接して上下側にそれぞれ取り付けられたランナーと、
上記ランナー間に所定の間隔をおいて架設され、前面板部には注入口が形成され裏側の左右にフランジ片が形成された断面Ｃ字状のスタッドと、
上記スタッドに取り付けられるレベル調整部、及びこのレベル調整部と螺合し上記壁基礎面に固定される支持台からなり、このレベル調整部には上記フランジ片の内側に係合される係合盤、及びこの係合盤から隙間をあけて操作盤が設けられ、上記支持台には上記レベル調整部の筒状軸部と螺合する基部、及びこの基部の両側に設けられ上記壁基礎面に止着される固定部が設けられ、上記レベル調整部の筒状軸部と上記基部を貫通し、この基部の裏側の凹状の空間部に至る貫通孔が設けられたアジャスターとを有し、
上記スタッドの注入口の裏側に、上記アジャスターのレベル調整部を係合保持させる一方、このアジャスターの上記固定部を上記壁基礎面に止着してスタッドを壁基礎面に仮固定し、上記スタッドの前方から上記アジャスターの操作盤又は上記注入口と連通する上記貫通孔を利用して上記レベル調整部を回転操作しこのレベル調整部の高さを加減して、上記壁基礎面とスタッドとの間隔を調整し、上記スタッドの注入口から弾性接着剤を注入して上記貫通孔を通過させ、上記支持台の空間部に注入保持させて上記壁基礎面との間に充填し、
上記弾性接着剤の硬化を待たずに上記スタッドの表面側に内装材を敷設することを特徴とする内装材の取付構造。
【請求項２】
上記アジャスターの係合盤を円形状とし、この係合盤を上記スタッドの側面部に内接させて係合したことを特徴とする請求項１記載の内装材の取付構造。
【請求項３】
上記アジャスターの上記基部には雌ねじが刻設された円筒状の筒部を設け、上記レベル調整部の筒状軸部の外周側にこのレベル調整部と一体に筒状の保持軸部を形成し、上記筒状軸部と上記保持軸部との間に円筒状の収納部を形成し、且つこの保持軸部の周囲に上記係合盤及び上記操作盤を一体形成し、
上記レベル調整部の上記筒状軸部と上記支持台の筒部との螺合により、この支持台の筒部が、このレベル調整部の上記収納部に収納されることを特徴とする請求項１又は２記載の内装材の取付構造。
【請求項４】
上記アジャスターの操作盤の径は、上記スタッドの横幅よりも大きく形成されていることを特徴とする請求項１，２又は３記載の内装材の取付構造。
【請求項５】
壁基礎面に近接して上下側にそれぞれランナーを取り付け、
前面板部には所定の間隔をおいて注入口が形成され、裏側の左右にフランジ片が形成された断面Ｃ字状のスタッドの上記注入口の裏側に、予めアジャスターを取り付け、
上記アジャスターは、上記スタッドに取り付けられるレベル調整部、及びこのレベル調整部と螺合し上記壁基礎面に固定される支持台からなり、このレベル調整部には上記フランジ片の内側に係合される係合盤、及びこの係合盤から隙間をあけて操作盤が設けられ、上記支持台には上記レベル調整部の筒状軸部と螺合する基部、この基部の両側に設けられ上記壁基礎面に止着される固定部が設けられ、上記レベル調整部の筒状軸部と上記基部を貫通し、この基部の裏側の凹状の空間部に至る貫通孔が設けられた形状とし、
上記スタッドに取り付けられた上記アジャスターの固定部を、上記壁基礎面に止着してスタッドを壁基礎面に仮固定し、
上記スタッドの前方から、上記アジャスターの操作盤又は上記注入口と連通する上記貫通孔を利用して上記レベル調整部を回転操作しこのレベル調整部の高さを加減して、上記壁基礎面とスタッドとの間隔を調整し、
この後、上記スタッドの注入口から弾性接着剤を注入し、上記貫通孔を通過させて上記支持台の空間部に注入保持させて上記壁基礎面との間に充填し、
上記弾性接着剤の硬化を待たずに上記スタッドの表面側に内装材を敷設することを特徴とする内装材の取付方法。
【発明の詳細な説明】
【技術分野】
【０００１】
本発明は、内装材の取付構造及びその取付方法に関する。
【背景技術】
【０００２】
建物等の壁基礎面には、スタッド等からなる内装下地を形成して、これに内装材を取り付ける二重壁構造が採用されている。この内装材の取付方法として、弾性接着剤を用いて壁基礎面にスタッドを取り付ける方法が知られている。この方法は、壁基礎面の前方に所定の間隔をおいてスタッドを配置し、このスタッドの裏面と壁基礎面との間に保持部材を介在させこれに弾性接着剤を充填して、スタッドを壁基礎面に弾性接着するものである。
しかし、上記弾性接着剤を用いた方法では、弾性接着剤が硬化するまでに約１〜３日程度の時間がかかり、その間は作業が中断されることから工事期間の管理も容易ではない。
【０００３】
この施工期間を改善した工法として、本願出願人は先に特許文献１に示す内装材の取付工法を開示した。この工法は、図５（ａ）（ｂ）に示すように、壁面６０に近接して上下部位にそれぞれランナー６１を取付け、これらランナー間に所定の間隔をおいてスタッド６２を架設するとともに、当該スタッド６２の後方の壁面に支持部材６３を固着し、支持部材の左右の側面部に、それぞれレベル調整具６４を差し込みスタッド６２を保持固定する。
そして、スタッド６２と壁面６０との間に保持部材６５を装着し、スタッド６２の注入口６６から上記保持部材６５に弾性接着剤６７を充填し、弾性接着剤の硬化を待たずにスタッド６２の表面側に内装材を取り付けることであり、これにより作業工程が迅速に行えて施工性が良くなるというものである。
【０００４】
また、特許文献２の内装ボードの取付方法は、スタッドと駆体壁との間に発泡ウレタンフォームを直接注入して、短時間で発泡ウレタンフォーム全体を硬化させ、これにより後続作業である内装ボードの張り付け作業にすぐに着手できるというものである。
【特許文献１】特開２００８−２１５８号公報
【特許文献２】特開２００６−７７４３５号公報
【発明の開示】
【発明が解決しようとする課題】
【０００５】
さて、上記特許文献１の工法は、スタッドに支持部材、レベル調整具及び弾性接着剤を保持する保持部材を取付ける必要があることから、部品点数が増えるという問題があり、また特許文献２の発泡ウレタン剤を用いた工法では、簡易迅速に施工が行えるものであるが、発泡ウレタンは地震等における層間変位の追随性が悪くまた壁基礎面などから発泡ウレタン剤が剥離し易いという問題がある。
【０００６】
本発明は、上記問題点に鑑みてなされたものであり、構造が簡単であるため作業が迅速に行えて施工性及び耐久性に優れた内装材の取付構造及びその取付方法を提供することを目的とする。
【課題を解決するための手段】
【０００７】
以上の技術的課題を解決するため、本発明に係る内装材の取付構造は、図１等に示すように、壁基礎面１０に近接して上下側にそれぞれ取り付けられたランナー６と、上記ランナー間に所定の間隔をおいて架設され、前面板部２０には注入口２６が形成され裏側の左右にフランジ片２２，２２が形成された断面Ｃ字状のスタッド８と、上記スタッドに取り付けられるレベル調整部３２、及びこのレベル調整部と螺合し上記壁基礎面に固定される支持台３０からなり、このレベル調整部３２には上記フランジ片２２，２２の内側に係合される係合盤４６、及びこの係合盤から隙間をあけて操作盤４８が設けられ、上記支持台３０には上記レベル調整部３２の筒状軸部と螺合する基部３６、この基部の両側に設けられ上記壁基礎面に止着される固定部３４が設けられ、上記レベル調整部の筒状軸部４４と上記基部３６を貫通し、この基部の裏側の凹状の空間部４０に至る貫通孔５０が設けられたアジャスター１２とを有し、上記スタッドの注入口の裏側に、上記アジャスター１２のレベル調整部３２を係合保持させる一方、このアジャスターの上記固定部３４を上記壁基礎面に止着してスタッドを壁基礎面に仮固定し、上記スタッドの前方から上記アジャスターの操作盤４８又は上記注入口と連通する上記貫通孔５０を利用して上記レベル調整部３２を回転操作しこのレベル調整部の高さを加減して、上記壁基礎面とスタッドとの間隔を調整し、上記スタッドの注入口２６から弾性接着剤９を注入して上記貫通孔５０を通過させて上記支持台の空間部４０に注入保持させて上記壁基礎面との間に充填し、上記弾性接着剤９の硬化を待たずに上記スタッド８の表面側に内装材を敷設する構成である。
【０００８】
本発明に係る内装材の取付構造は、上記アジャスター１２の係合盤４６を円形状とし、この係合盤４６を上記スタッドの側面部に内接させて係合した構成である。
【０００９】
本発明に係る内装材の取付構造は、上記アジャスター１２の上記基部３６には雌ねじが刻設された円筒状の筒部３８を設け、上記レベル調整部の筒状軸部４４の外周側にこのレベル調整部と一体に筒状の保持軸部４２を形成し、上記筒状軸部４４と上記保持軸部４２との間に円筒状の収納部４５を形成し、且つこの保持軸部４２の周囲に上記係合盤４６及び上記操作盤４８を一体形成し、上記レベル調整部の上記筒状軸部４４と上記支持台の筒部３８との螺合により、この支持台の筒部３８が、このレベル調整部の上記収納部４５に収納される構成である。
【００１０】
本発明に係る内装材の取付構造において、上記アジャスターの操作盤４８の径は、上記スタッド８の横幅よりも大きく形成された構成である。
【００１１】
本発明に係る内装材の取付方法は、図１等に示すように、壁基礎面１０に近接して上下側にそれぞれランナー６を取り付け、前面板部２０には所定の間隔をおいて注入口２６が形成され、裏側の左右にフランジ片２２，２２が形成された断面Ｃ字状のスタッド８の上記注入口の裏側に、予めアジャスター１２を取り付け、上記アジャスターは、上記スタッドに取り付けられるレベル調整部３２、及びこのレベル調整部と螺合し上記壁基礎面に固定される支持台３０からなり、このレベル調整部には上記フランジ片の内側に係合される係合盤４６、及びこの係合盤から隙間をあけて操作盤４８が設けられ、上記支持台３０には上記レベル調整部の筒状軸部４４と螺合する基部３６、及びこの基部の両側に設けられ上記壁基礎面に止着される固定部３４が設けられ、上記レベル調整部の筒状軸部と上記基部を貫通し、この基部の裏側の凹状の空間部４０に至る貫通孔５０が設けられた形状とし、上記スタッドに取り付けられた上記アジャスターの固定部３４を、上記壁基礎面に止着してスタッドを壁基礎面に仮固定し、上記スタッドの前方から上記アジャスターの操作盤４８又は上記注入口と連通する上記貫通孔５０を利用して上記レベル調整部３２を回転操作しこのレベル調整部の高さを加減して、上記壁基礎面とスタッドとの間隔を調整し、この後、上記スタッドの注入口２６から弾性接着剤９を注入し、上記貫通孔５０を通過させて上記支持台の空間部４０に注入保持させて上記壁基礎面との間に充填し、上記弾性接着剤９の硬化を待たずに上記スタッド８の表面側に内装材を敷設することである。
【発明の効果】
【００１２】
以上説明したように、本発明に係る内装材の取付構造によれば、スタッドの注入口の裏側に、アジャスターのレベル調整部を係合保持させる一方、このアジャスターの固定部を壁基礎面に止着してスタッドを壁基礎面に仮固定し、スタッドの前方からレベル調整部を回転操作して壁基礎面とスタッドとの間隔を調整し、スタッドの注入口から弾性接着剤を注入して貫通孔を通過させて支持台の空間部に注入保持させて壁基礎面との間に充填し、弾性接着剤の硬化を待たずにスタッドの表面側に内装材を敷設する構造を採用したから、アジャスターでスタッドを仮固定し弾性接着剤を充填した後は、その硬化を待たずに直ちにスタッドに内装材の敷設工程に移ることができるので、各作業工程の間に待ち時間なく連続して次の工程を行うことができて内装材の施工が短時間で完了し、全体の施工が迅速に行え施工性が大幅に改善されるという効果を奏する。また、スタッドと壁基礎面との間に弾性接着剤が介在されているので、地震等による層間変位の追随の良い弾性接着剤の接着固定により、スタッドの壁基礎面からの剥離や落下が防止でき、耐震性、耐久性に優れるという効果がある。
【００１３】
また本発明に係る内装材の取付構造によれば、アジャスターの係合盤を円形状とし、この係合盤をスタッドの側面部に内接させて係合した構成としたから、アジャスターのスタッドへの係合が容易にかつ確実に行なえるとともに、操作盤の回転操作も良好に行なえるという効果がある。
【００１４】
また本発明に係る内装材の取付構造によれば、レベル調整部と支持台との螺合により、この支持台の筒部が、このレベル調整部の収納部に収納される構成としたから、支持台に対するレベル調整部の高さ位置を低くすることができ、これによりスタッドを壁基礎面に近づけふかし幅を狭くして室内空間を広くすることができるという効果がある。
【００１５】
また本発明に係る内装材の取付構造によれば、アジャスターの操作盤の径は、スタッドの横幅よりも大きく形成した構成としたから、作業者による操作がし易く施工性に優れるという効果がある。
【００１６】
本発明に係る内装材の取付工法によれば、スタッドの上記注入口の裏側に、予めアジャスターを取り付け、スタッドに取り付けられたアジャスターの固定部を、壁基礎面に止着してスタッドを壁基礎面に仮固定し、レベル調整部を回転操作して壁基礎面とスタッドとの間隔を調整し、注入口から弾性接着剤を注入して支持台の空間部に注入保持させて壁基礎面との間に充填し、弾性接着剤の硬化を待たずにスタッドの表面側に内装材を敷設することとしたから、アジャスターでスタッドを仮固定し弾性接着剤を充填した後は、その硬化を待たずに直ちにスタッドに内装材の敷設工程に移ることができるので、各作業工程の間に待ち時間なく連続して次の工程を行うことができて内装材の施工が短時間で完了し、全体の施工が迅速に行え施工性が大幅に改善されるという効果を奏する。また、地震等による層間変位の追随の良い弾性接着剤の接着固定により、スタッドの壁基礎面からの剥離や落下が防止でき、耐震性、耐久性に優れるという効果がある。
【発明を実施するための最良の形態】
【００１７】
以下、本発明の実施の形態に係る内装材の取付構造及びその取付工法を図面に基づいて説明する。図１及び図４は、上記内装材の取付構造を示したものである。この取付構造は、建物の天井面２及び床スラブ４に取付けられるランナー６、ランナー６間に架設されるスタッド８、このスタッド８に取り付けて使用されスタッド８を建物の躯体等の壁基礎面１０に固定するアジャスター１２を有し、弾性接着剤９を用いてアジャスター１２とともにスタッド８を壁基礎面１０に固定し、スタッド８の表面に石膏ボード等の内装材１４を敷設する構造である。
【００１８】
図１に示すように、上記ランナー６は断面コの字状の長尺状軽量鋼材である。また、上記スタッド８は、前面板部２０、側板部２１，２１及び裏側のフランジ片２２，２２からなる断面Ｃの字状の長尺状軽量鋼材である。このスタッド８の前面板部２０には、所定の間隔をおいて上記弾性接着剤９の注入口２６が複数設けられている。
【００１９】
図２，３は、上記アジャスター１２を示したものであり、これはポリアミド等の合成樹脂製の部材からなる。このアジャスター１２は、壁基礎面１０に対するスタッド８のふかし幅（壁基礎面からスタッドの前面板部までの幅）の位置決め、及びスタッドの仮固定を行なうとともに、スタッド８の注入口２６から注入された弾性接着剤９を保持してスタッド８を壁基礎面１０に固定する。
【００２０】
上記アジャスター１２は図３に示すように、支持台３０とレベル調整部３２からなる。この支持台３０は、左右に設けられた翼状の固定部３４，３４の中央部には一段高く形成された板状の基部３６が形成されている。この基部３６の表面の中央部には円筒状の筒部３８が突設形成され、この筒部３８の内の貫通した孔部は基部３６を貫通した形態である。この筒部３８の内周には、雌ねじ溝３９が刻設されている。また支持台３０には、基部３６の裏側に凹状の空間部４０が形成されている。
【００２１】
また、上記レベル調整部３２には、円形の底部４１を有する有底円筒状の大径の保持軸部４２、及びこの保持軸部４２の内部に上記底部４１を介して一体に形成される円筒状の小径の筒状軸部４４が形成されている。この筒状軸部４４の外周には、雄ねじ溝４７が刻設されている。
また、上記保持軸部４２の中間部には、円形の係合盤４６及びこれより大径の円形に近い形状の操作盤４８が、保持軸部４２と同一中心をなしてこれと一体形成されている。また、上記底部４１の外部には周囲の近傍に複数の小突起４３が形成されている。
【００２２】
上記操作盤４８は、周囲の複数個所に円弧状に切り欠かかれた操作凹部４９が形成され、作業者の手による回転操作を容易にしている。また、この操作盤４８の最大の中心径の寸法は、スタッド８の横幅よりも大きく形成されている。ここでは、操作盤４８の最大中心径は６０ｍｍとし、スタッド８の横幅は４０ｍｍとしている。
【００２３】
上記筒状の保持軸部４２と、上記筒状軸部４４との間には円筒状の収納部４５が形成されている。また、上記筒状軸部４４の筒の内部には断面六角の貫通孔５０が形成されており、この貫通孔５０は、支持台３０の筒部３８と連通して支持台３０の空間部４０に通じている。上記貫通孔５０に回転工具を介在させ、これを回してレベル調整部３２を回転操作することができる。
【００２４】
上記アジャスター１２は、支持台３０の筒部３８の雌ねじと、レベル調整部３２の筒状軸部４４の雄ねじとが螺合し、これにより支持台３０に対してレベル調整部３２を回転させることで両者間の間隔が拡縮する。
【００２５】
また、支持台３０とレベル調整部３２とを螺合させたときに、支持台３０の筒部３８の一部又は全部が、レベル調整部３２の筒状軸部４４の外周側の収納部４５に収納される。この収納によりアジャスター１２は、支持台３０に対するレベル調整部３２の高さ位置を（筒部３８の高さ分）低くすることができ、このためスタッド８を壁基礎面１０に近づけて配置することができ、ふかし幅を狭くして室内空間を広くすることができる。この実施の形態ではふかし幅として、壁基礎面１０とスタッド８との間隔を２０ｍｍ〜３３ｍｍの範囲で調整可能としている。
【００２６】
ここで、図１及び図４に基づき実施の形態に係る内装材の取付方法について説明する。
まず、予め上記スタッド８の注入口２６の裏側に上記アジャスター１２を取り付けておく。このアジャスター１２は、レベル調整部３２の係合盤４６をスタッド８の内部に収納し、この係合盤４６をスタッド８のフランジ片２２，２２の内側に係合させた状態で取り付ける。
【００２７】
この状態では、レベル調整部３２の保持軸部４２の底部４１の小突起４３はスタッド８の前面板部２０の裏面部に当接し、係合盤４６がスタッド８のフランジ片２２，２２の内面に当たって係合する。また、係合盤４６と操作盤４８との間の隙間にスタッド８のフランジ片２２，２２が介在し、これらフランジ片２２，２２が保持軸部４２を挟持した状態となる。また、スタッド８の内部空間２３に嵌ったレベル調整部３２の係合盤４６の外周部は、スタッド８の側板部２１，２１の内壁に接して内接する。
【００２８】
上記アジャスター１２の操作盤４８の外径はスタッド８の横幅より大きく形成されていることから、スタッド８に裏側に取り付けたアジャスター１２の操作盤４８は前方からの操作が容易となり、スタッド８の前方から操作者の手でこの操作盤４８を回転操作可能である。また、上記係合盤４６は円板形であるから、これと一体成形された操作盤４８を回転操作すると、この係合盤４６はスタッド８の側板部２１，２１に内接した状態で回転する。スタッド８の他の注入口２６の裏側にも、上記と同様にしてアジャスター１２を取り付ける。
【００２９】
さらに、上記アジャスター１２の固定部３４，３４の裏面にそれぞれ両面テープ５２を接着しておく。一方、上記準備と併せて、建物の天井面２及び床スラブ４にそれぞれランナー６，６をピン等の止着具を用いて取り付ける。また、上記アジャスター１２を取り付けたスタッド８を、上記ランナー６，６間に架設する。これらスタッド８は、各端部をランナー６の溝部に差し込んで取り付け、各スタッド８は、所定の間隔をおいて互いに平行に配置する。また、スタッド８の両端部は各ランナー６にビス等の止着具を用いて固定する。
【００３０】
そして、スタッド８に取り付けた各アジャスター１２についても、固定部３４，３４を両面テープ５２により壁基礎面１０に接着する。このようにして、スタッド８を壁基礎面１０に仮固定する。
次に、作業者によりスタッド８の注入口２６からアジャスター１２の貫通孔５０に回転工具（六角レンチ等）を介在させてレベル調整部３２を回転操作し、又はスタッド８の前方からアジャスター１２の操作盤４８を回してレベル調整部３２を回転操作し、アジャスター１２の高さを加減して壁基礎面１０とスタッド８との間隔を調整する。
【００３１】
続いて、弾性接着剤９を壁基礎面１０とアジャスター１２間に充填する工程を行なう。この弾性接着剤９としては、硬化後、弾性力を有する樹脂系からなる接着剤が用いられるが、好ましくは、プライマーの処理の必要がなく、無溶剤型で耐久性、接着性に優れる変性シリコーン樹脂接着剤が良い。
ここではボンド注入具などを用いて、スタッド８の各注入口２６から弾性接着剤９を注入する。この弾性接着剤９は、そのままアジャスター１２の貫通孔５０を通過して支持台３０の裏側の空間部４０に注入保持され、これにより弾性接着剤９が壁基礎面１０との間に充填される。
【００３２】
さて、この状態では、弾性接着剤９は未硬化であるが、スタッド８はアジャスター１２により壁基礎面１０に固定されているため、このまま次の工程である内装材１４等の取り付け作業を行うことができる。このため、弾性接着剤１６が未硬化の状態のまま、直ちに内装材１４の敷設工程に移る。この工程では、上記壁基礎面１０に仮固定されたスタッド８の表面に、石膏ボード等からなる内装材１４をビス等の止着具を用いて取り付けて施工を終える。上記弾性接着剤１６の硬化には通常１〜３日を要し、この硬化後は、弾性接着剤９によりアジャスター１２を介してスタッド８は壁基礎面１０に弾性接着される。
【００３３】
したがって、上記実施の形態においては、アジャスター１２によりスタッド８を仮固定し弾性接着剤の充填後は、その硬化を待たずに直ちにスタッドに内装材を敷設する工程に移ることができるので、各作業工程が待ち時間なく連続して行えて内装材の施工が短時間で完了し、全体の施工が迅速に行え施工性が大幅に改善されるという効果がある。
【００３４】
またアジャスター１２は、単独で壁基礎面１０とスタッド８との間の間隔調整、仮固定及び弾性接着剤９の充填保持の機能を有しているため、部品点数が削減され、また施工も簡単であり施工性にも優れる。さらに、スタッドと壁基礎面との間に硬化後において弾性特性を有する弾性接着剤が介在されているので、地震等による層間変位の追随の良い弾性接着剤の接着固定により、スタッドの壁基礎面からの剥離や落下が防止でき、耐震性、耐久性にも優れる。
【図面の簡単な説明】
【００３５】
【図１】本発明の実施の形態に係る内装材の取付構造を示す図である。
【図２】実施の形態に係るアジャスターの斜視図である。
【図３】実施の形態に係るアジャスターの分解斜視図である。
【図４】実施の形態に係る内装材の取付構造の正面図である。
【図５】従来例に係る内装材の取付構造を示す図である。
【符号の説明】
【００３６】
６  ランナー
８  スタッド
９  弾性接着剤
１０  壁基礎面
１２  アジャスター
１４  内装材
２０  前面板部
２２  フランジ片
２６  注入口
３０  支持台
３２  レベル調整部
３４  固定部
３６  基部
３８  筒部
４０  空間部
４２  保持軸部
４４  筒状軸部
４５  収納部
４６  係合盤
４８  操作盤
５０  貫通孔
【図１】
2010150825.tif 000003
【図２】
2010150825.tif 000004
【図３】
2010150825.tif 000005
【図４】
2010150825.tif 000006
【図５】
2010150825.tif 000007